(57)【特許請求の範囲】
【請求項１】
浴槽を載置させる床パンの適宜位置に上面開口状の充填部が形成され、この充填部の底面に開口部が形成され、この開口部を介して立ち上げられた配管と開口部との隙間が蓋で閉塞され、この蓋に配管が固定部材で止め付けられ、蓋で隙間が閉塞された充填部に接着性の防水処理剤が充填され、この防水処理剤で配管と開口部の隙間が塞がれると共に、固定部材が充填部に埋め込まれ、上記の固定部材が一対の止め付け片と、緊締バンドを備えてなり、配管の根元に止め付け片がセットされ、緊締バンドで締め付けられて配管が固定されていることを特徴とする床パンの配管部防水構造。
【請求項２】
請求項１記載の床パンの配管部防水構造であって、充填部が床パンの底面から立ち上げられた凸段差部の上面に形成されたことを特徴とする床パンの配管部防水構造。
【請求項３】
請求項1又は２記載の床パンの配管部防水構造であって、充填部が起立状の枠で形成されたことを特徴とする床パンの配管部防水構造。
【請求項４】
請求項１乃至３の何れかに記載の床パンの配管部防水構造であって、床パンの裏側から開口部に通される配管を、開口部に導くための案内部が床パンの裏側に形成されたことを特徴とする床パンの配管部防水構造。
【請求項５】
請求項１乃至４の何れかに記載の床パンの配管部防水構造であって、蓋が可撓性材料で形成され、配管に孔が纏わり付いた状態で嵌挿配置されたことを特徴とする床パンの配管部防水構造。
【発明の詳細な説明】
【０００１】
【発明の属する技術分野】
本発明は、床パンの配管部防水構造に関し、更に詳しくは床パンの開口部を介して立ち上げられた配管と上記の開口部との隙間を、防水できるよう形成した床パンの配管部防水構造に関するものである。
【０００２】
【従来の技術】
従来この種の構造としては、例えば床パンの開口部を漏斗状のゴムパッキンで覆い、床パンの裏側から開口部及びゴムパッキンの天頂部の孔を介して給水管、給湯管等の配管を通し、この配管とゴムパッキンをホースバンドで止め付け、これにより上記の開口部と配管との隙間を防水するよう形成したものがある（例えば特開平８ー２０９７６１号公報参照）。
【０００３】
【発明が解決しようとする課題】
ところでこの種の構造は、床パンの開口部と立上げ配管との隙間を確実にシールドでき、又立上げ配管と浴槽との接続工事の際等に外力が配管に加えられてもシールド部に支障が生じないよう形成されているのが望ましい。
【０００４】
しかるに従来は、上記の通り、ゴムパッキンで開口部を覆い、このゴムパッキンの孔から配管を引き出し、この引き出した配管とゴムパッキンとをホースバンドで縛って固定し、これにより開口部と配管との隙間をシールドするものであったから、従来構造によると、浴槽との接続工事の際、例えば立上げ配管を過って傾倒させたりすると、ゴムパッキンが開口部から外れたり位置ずれを起こし易かった。
【０００５】
又従来は、ゴムパッキンの取り付け、ホースバンドによる緊締操作等、作業に手間暇がかかり、熟練度によってシールド状態にバラツキが生じ易かった。
【０００６】
更に従来構造の場合は、配管の径や開口部の大きさによって、ゴムパッキンを変更する必要があり、又配管ごとゴムパッキンを必要としたから、従来例によると施工コストが高く付くことになるのを避けられなかった。
【０００７】
本発明は、このような従来の実情に鑑み、提案されたものである。
従って本発明の技術的課題は、シールド状態を堅固化、確実化でき、防水作業を簡略化できるだけではなく、配管の径の相違等に制約を受けることなく施工でき、施工コストの低廉化をも図ることができるよう形成した床パンの配管部防水構造を提供することにある。
【０００８】
【課題を解決するための手段】
本発明は、上記の課題を解決するために、次のような技術的手段を採る。
【０００９】
即ち本発明は、図１に示されるように、浴槽１を載置させる床パン２の適宜位置に上面開口状の充填部３が形成され、この充填部３の底面３ａに開口部３ｂが形成され、この開口部３ｂを介して立ち上げられた配管４と開口部３ｂとの隙間Ｓが蓋５で閉塞され、この蓋５に配管４が固定部材１２で止め付けられ、蓋５で上記の隙間Ｓが閉塞された充填部３に接着性の防水処理剤８が充填され、この防水処理剤８で配管４と開口部３ｂの隙間Ｓが塞がれると共に、固定部材１２が充填部３に埋め込まれ、上記の固定部材１２が一対の止め付け片１２ａと、緊締バンド１２ｂを備えてなり、配管４の根元に止め付け片１２ａがセットされ、緊締バンド１２ｂで締め付けられて配管４が固定されていることを特徴とする（請求項１）。
【００１０】
この場合、充填部３は、図示されるように、床パン２の底面２ａから立ち上げられた凸段差部２ｂの上面に形成されるのが好ましい（請求項２）。
【００１１】
これによると、開口部３ｂが床パン２の底面２ａより高くなるから、床パン２の底面２ａに充填部３が直接形成される場合より、水の浸入割合を小さくでき、その分、防水性が良くなる、という利点がある。なお本発明の場合、開口部３ｂの形状や大きさ等は任意であり、配管４の本数、配管４相互の間隔等により適宜選定されるので良い。
【００１２】
又本発明の場合、充填部３は、図１等に示されるように、床パン２の適宜位置が窪まれてなる場合には限られず、例えば図７等に示されるように、起立状の枠３ｃで形成されるのでも良い（請求項３）。
【００１３】
この場合は、充填部３を深く形成し易いから、防水処理剤８と配管４との接着面積を長く大きくできる。従ってこれによると、配管４に加わる外力に対しても強度が増し、その分、防水性を向上できる。この本発明の場合、枠３ｃは床パン２に後付けされるのでも良い。
【００１４】
又本発明は、図９に示されるように、床パン２の裏側から開口部３ｂに通される配管４を、開口部３ｂに導くための案内部２ｄが床パン２の裏側に形成されるのが好ましい（請求項４）。
【００１５】
この場合は、配管４を開口部３ｂに通し易くなるから、床パン２の設置作業を容易化できる。案内部２ｄは、通常、開口部３ｂに向かって先すぼまり状の円錐形、角錐形等に形成されるのが好ましいが、これに限定されるものではなく、その他例えば開口部３ｂに向かって傾斜する斜面で形成されるのでも良い。
【００１６】
更に本発明は、図８等に示されるように、蓋５が、可撓性材料で形成され、配管４に孔５ａが纏わり付いた状態で嵌挿配置されるのが好ましい（請求項５）。
【００１７】
なぜならこの場合は、配管４と蓋５の孔５ａとの間隙を塞ぐための手間暇を一掃できるからである。
【００１８】
【発明の実施の形態】
以下、本発明の好適な一実施形態を添付図面に従って説明する。
【００１９】
図１等において、１は浴槽であり、２はこの浴槽１を載置させる床パンである。この床パン２は、その適宜位置に上面開口状の充填部３が平面視で長方形状に窪まれて形成されている。この充填部３は、この実施形態では洗い場より高くなるよう、床パン２の底面２ａから立ち上げられた凸段差部２ｂの上面に形成されている。
【００２０】
又充填部３の底面３ａには、開口部３ｂが形成されている。この開口部３ｂは、充填部３の形状に合わせて長方形状に形成され、開口部３ｂの周りの底面３ａが鍔状に形成されている。
【００２１】
４は、開口部３ｂを介して立ち上げられた配管である。この配管４は、この実施形態では図２等に示されるように、給水管４ａ、給湯管４ｂ、追焚配管４ｃを備えてなる。又配管４と開口部３ｂとの隙間Ｓは、蓋５で閉塞されている。
【００２２】
蓋５は、給水管４ａ等に対応する位置に孔５ａが開口され、この孔５ａを介して配管４に嵌挿され、充填部３の底面３ａに載置される。なおこの実施形態では、図２、図３等に示されるように、蓋５に管フランジ状の継手６がビス７で取り付けられ、追焚配管４ｃはこの継手６を通されて立ち上げられている。なお蓋５の各孔５ａと、給水管４ａ、給湯管４ｂとの間隙はコーキングされる。
【００２３】
而して本発明は、図４に示されるように、充填部３に接着性の防水処理剤８が充填される。充填された防水処理剤８の上面は、凸段差部２ｂの上面と面一になるよう、へら等でならされる。本発明は、防水処理剤８が配管４や充填部３の周壁に接着するため、配管４の立上げ姿勢が保持されるだけではなく、配管４と開口部３ｂとの隙間Ｓが、この防水処理剤８でシールドされるものである。
【００２４】
又本発明は、配管４が蓋５に固定部材１２（図１０参照）で止め付けられ、この固定部材１２は充填部３に防水処理剤８で埋め込まれている。この実施形態では、配管４の内、給水管４ａと給湯管４ｂの根元が固定部材１２で蓋５に止め付けられている。固定部材１２は、図１０等に示されるように、一対の止め付け片１２ａと、緊締バンド１２ｂを備えてなる。配管４は、止め付け片１２ａが根元にセットされ、緊締バンド１２ｂで締め付けられて固定される。なお止め付け片１２ａは、例えば図１２に示されるように、ビス７で蓋５に固定される。
【００２５】
なおこの実施形態では、図５、図６に示されるように、防水処理剤８の上面から突き出された追焚配管４ｃの継手６に、キャップ９が被され、このキャップ９はその上部がキャップバンド１０で、根元が結束バンド１１で緊締されている。
【００２６】
次に本発明構造の他の実施形態を、図７、図８に従って説明する。上例と同一箇所、同一部材は、同一の番号を付し、詳しい説明は省略する。
【００２７】
この実施形態に係る本発明は、充填部３が、図示されるように、起立状の枠３ｃで形成されている。この枠３ｃは、床パン２の底面２ａから立ち上げられた凸段差部２ｂの上面に、例えば凸段差部２ｂと一体成形されることにより形成されている。なおこの枠３ｃは、この実施形態では配管４との接着面が増大するよう深く形成され、又配管４の太さや材質等に合わせて最適な防水処理剤８を充填できるよう、仕切り３ｄで複数の室に仕切られている。
【００２８】
又蓋５は、図８に示されるように、可撓性材料としての例えばゴム板で形成され、孔５ａの周縁が配管４に纏わり付いて間隙が生じないよう形成されている。なお２ｃは、壁パネルを載置するための壁載せ部である。
【００２９】
而してこの実施形態の本発明では、防水処理剤８が配管４や充填部３の枠３ｃの内周面に接着して隙間Ｓが塞がれ、配管４の起立姿勢が堅固に保持される。又蓋５の孔５ａが、配管４の周面に纏わり付くため、これによると蓋５の孔５ａと配管４との間隙をコーキング処理する必要がない。
【００３０】
又本発明の場合、蓋５は、図１１等に示されるように、周囲が立ち上げられて浅い皿状に形成され、床パン２にビス７で止め付けられ、充填部３が形成されるのでも良い。
【００３１】
又追焚配管４ｃは、図１３に示されるように、蓋５にビス７で止め付けられた継手６に通され、キャップ９（図１４参照）の上部がキャップバンド１０で、下部が結束バンド１１で固定されるのでも良い。又本発明は、図１５に示されるように、配管４と蓋５の孔５ａとの間隙がパッキン１３で塞がれ、図１６に示されるように、例えばチューブ容器１４から防水処理剤８が充填部３に注入され充填されるのでも良い。
【００３２】
【発明の効果】
以上説明したように本発明は、床パンに防水処理剤の充填部を形成し、この防水処理剤で立上げ配管と、この配管が通される開口部との隙間を、閉塞するよう形成したものである。
【００３３】
従ってこれによれば、配管部のシールド状態を堅固化、確実化でき、防水処理を簡略化できる。又本発明構造の場合は、配管の径の相違等に制約や支障を受けることなく施工できるから、これによれば施工コストの低廉化をも図ることができる。
【００３４】
又本発明は、配管を蓋に固定部材で止め付け、この固定部材を防水処理剤で充填部に埋め込んでいる。従って本発明の場合は、防水処理剤を充填する際や硬化する迄、配管を手で支承する必要がない。又これによると、固定部材で配管の起立姿勢を堅固にできると共に、固定部材の体積分、防水処理剤の量を節減できる。
【図面の簡単な説明】
【図１】本発明構造の好適な一実施形態を示す要部断面図である。
【図２】蓋の取り付け状態を示す要部分解斜視図である。
【図３】蓋のセット後の状態を示す要部斜視図である。
【図４】防水処理剤の充填状態を示す要部斜視図である。
【図５】キャップの取り付け状態を示す要部斜視図である。
【図６】キャップの取り付け後の状態を示す要部斜視図である。
【図７】充填部の他の実施形態を示す要部斜視図である。
【図８】図７の実施形態の要部縦断面図である。
【図９】配管の案内部を示す要部縦断面図である。
【図１０】固定部材を示し、Ａは斜視図、Ｂは取り付け時の要部斜視図である。
【図１１】本発明構造の他の実施形態を説明するための要部分解斜視図である。
【図１２】図１１の実施形態において固定部材の取り付け状態を示す要部斜視図である。
【図１３】図１１の実施形態において継手の取り付け状態を示す要部斜視図である。
【図１４】図１１の実施形態においてキャップの取り付け状態を示す要部斜視図である。
【図１５】図１１の実施形態において配管と蓋の孔との間隙をシールドした状態を示す要部斜視図である。
【図１６】図１１の実施形態において防水処理剤の充填状態を示す要部斜視図である。
【符号の説明】
１    浴槽
２    床パン
３    充填部
３ａ  底面
３ｂ  開口部
４    配管
５    蓋
８    防水処理剤
Ｓ    隙間
【図１】
0003659115.tif 000002
【図２】
0003659115.tif 000003
【図３】
0003659115.tif 000004
【図４】
0003659115.tif 000005
【図５】
0003659115.tif 000006
【図６】
0003659115.tif 000007
【図７】
0003659115.tif 000008
【図８】
0003659115.tif 000009
【図９】
0003659115.tif 000010
【図１０】
0003659115.tif 000011
【図１１】
0003659115.tif 000012
【図１２】
0003659115.tif 000013
【図１３】
0003659115.tif 000014
【図１４】
0003659115.tif 000015
【図１５】
0003659115.tif 000016
【図１６】
0003659115.tif 000017